(57)【要約】      （修正有）【課題】構成が複雑でなく、調整も容易で確実であり、取り付けたときに、外観的にも美麗な引戸用の戸車を提供する。【解決手段】下面を開口したケース本体２に、走行車輪３を回転自在に支持する内ケース４が走行方向への偏心位置で前記ケース本体２の側壁２４，２５間に架設した支持軸２６において幅方向に移動可能に且つ回動可能に内装させるともに、前記ケース本体２の一方の側壁２４に他方の側壁２５に向けて２本の調節ねじ６，７が基端面６１，７１を露出させて配置されており、前記一方の調節ねじ６を回転させることでこの調節ねじ６に設けたカム部材８により前記内ケース４を所定の回転位置に規制して前記走行車輪３の上下方向の位置を調節し、前記もう一方の調節ねじ７を回転させることでこの調節ねじ７に螺装させた規制部材を幅方向に移動させてこの規制部材に係合している内ケース４を移動させて前記走行車輪３の幅方向の位置を調節した。【選択図】図１
2006125003.tif 000002
【特許請求の範囲】
【請求項１】
下面を開口したケース本体に、走行車輪を回転自在に支持する内ケースが走行方向への偏心位置で前記ケース本体の側壁間に架設した支持軸において幅方向に移動可能に且つ回動可能に内装されているとともに、前記ケース本体の一方の側壁に他方の側壁に向けて２本の調節ねじが基端面を露出させて配置されており、前記一方の調節ねじを回転させることでこの調節ねじに設けたカム部材により前記内ケースを所定の回転位置に規制して前記走行車輪の上下方向の位置を調節し、前記もう一方の調節ねじを回転させることでこの調節ねじに螺装させた規制部材を幅方向に移動させてこの規制部材に係合している内ケースを移動させて前記走行車輪の幅方向の位置を調節することを特徴とする引戸用の戸車。
【発明の詳細な説明】
【技術分野】
【０００１】
本発明は、引戸の下端面に取付けて戸の開閉を円滑に行わせる戸車、特に、戸の上下方向と厚さ方向に調節が可能な戸車に関するものである。
【背景技術】
【０００２】
従来、引戸用の戸車として車輪の位置を取り付けた引戸の上下方向と厚さ方向に調整可能として、現場での熟練者による正確な取付を必要とせず、工場での取付を可能にし、更に、取付後に引戸を外すことなしに車輪の位置を調整可能にした戸車が例えば特開平９−１２５７９９号公報、特開平９−６０３９９号公報等に提示されている。
【０００３】
前記従来の調整戸車１ａは、図１１に示すように、引戸２ａの下端面２１ａと引戸２ａの走行方向の側面（木口）２２ａとが直交する角部に形成された取付空所２３ａに取り付けられるものである。
【０００４】
従って、調整戸車１ａは引戸２ａの走行方向の側面（木口）２２ａに沿って露出するケース前壁１１ａに取付ねじ１２ａ、上下方向の調節ねじ１３ａおよび厚み方向の調節ねじ１４ａが並設することになる。
【０００５】
そのため、木口２２ａ側の外観がすっきりせず美麗でなく、特に、通常調節方向などの文字も表示されるのでなおさらである。
【０００６】
加えて、図１２に示すように、戸袋２４ａを配置した引戸２ａにあっては調節ねじ１３ａおよび調節ねじ１４ａを配置した引戸２ａの引き込み側の走行方向の側面（木口）２２ａが戸袋２４ａに遮蔽されてしまい戸袋２４ａを取り外さなければ調整ができない、という問題もある。
【０００７】
また、前記従来の調整戸車１ａは、ケース側面１１ａに上下方向の調節ねじ１３ａおよび厚み方向の取付ねじ１４ａが引戸２ａの走行方向に向けて配置しており、特に、厚み方向の調節ねじ１４ａはその調整方向と直角方向に軸心を向けて配置していることから、回転により発生する軸心の移動を引戸２ａの厚み方向に変換する必要がある。
【０００８】
従って、調節ねじ１４ａの回転を厚み方向の動きに変換するためのカムやギヤなど複雑な機構が必要であり、部品点数が増えて組立が面倒であったり、価格が高くなったり、更には、円滑な調節がしにくい等の問題点がある。
【特許文献１】特開平９−１２５７９９号公報
【特許文献２】特開平９−６０３９９号公報
【発明の開示】
【発明が解決しようとする課題】
【０００９】
本発明は、上記のような問題点を解決しようとするものであり、構成が複雑でなく、調整も容易で確実であるばかりか、取り付けたときに戸の木口に複数のねじが並ぶことがなく、従って外観的にも美麗な引戸用の戸車を提供するものである。
【課題を解決するための手段】
【００１０】
そこで、本発明は、下面を開口したケース本体に、走行車輪を回転自在に支持する内ケースが走行方向への偏心位置で前記ケース本体の側壁間に架設した支持軸において幅方向に移動可能に且つ回動可能に内装されているとともに、前記ケース本体の一方の側壁に他方の側壁に向けて２本の調節ねじが基端面を露出させて配置されており、前記一方の調節ねじを回転させることでこの調節ねじに設けたカム部材により前記内ケースを所定の回転位置に規制して前記走行車輪の上下方向の位置を調節し、前記もう一方の調節ねじを回転させることでこの調節ねじに螺装させた規制部材を幅方向に移動させてこの規制部材に係合している内ケースを移動させて前記走行車輪の幅方向の位置を調節することを特徴とする。
【発明の効果】
【００１１】
本発明によると、引戸に取り付けたときに、引戸の側面に形成した透窓に露出させた２つの調整ねじをドライバなどの調整具により回転することで、走行車輪の引戸に対する上下方向および厚さ方向の取り付け位置を調節することができ、引戸の木口に露出するケース本体の前壁には調節ねじが配置されていないので外観上、美麗である。
【００１２】
また、前記調節ねじをケースの幅方向、即ち、引戸の厚さ方向に向けて配置したこととにより、複雑な構成を要さず、調整も確実であり、殊に、戸袋を設けた場合にも引き込み側についても調節することができる。
【発明を実施するための最良の形態】
【００１３】
次に本発明の実施の形態を図面を参照して詳細に説明する。
【００１４】
図１乃至図６は本発明の実施の形態を示すものであり、従来の調整可能な戸車と同様に、引戸１の下端面１１と側面（木口）１２とが直交する角部に形成された取付空所１３に取り付けられるケース本体２と、走行車輪３を支持軸３１で回転自在に支持する断面がコ字形に折曲形成された内ケース４とを有している。
【００１５】
そして、ケース本体２は、下面を開口したほぼ箱形で例えば硬質の合成樹脂等により形成され、頂部に引戸１へ固定するための取付ねじ５の挿通孔２１が前壁２２から後壁２３に貫通して形成されているともに、前壁２２側下端において両側壁２４，２５間に架設された支持軸２６に走行車輪３を回転自在に支持する内ケース４が走行方向への偏心位置で支持されており、内ケース４は前記支持軸２６においてケース本体２の両側壁２４，２５間方向に移動可能に且つ回動可能にケース本体２に内装される。
【００１６】
また、前記ケース本体１の一方の側壁２４にはもう一方の側壁２５に向けて２本の調節ねじ６，７が配置されており、一方の調節ねじ６には前記内ケース４の頂面４１に形成した係止溝４２に係合する係止突起８１を突設した回転式のカム８が固着されており、調節ねじ６を左右に回転させることにより内ケース４が支持軸２６を中心として回動し、内ケース４に支持されている走行車輪３がケース本体２に対して上下方向に移動するので、前記内ケース４を所定の回転位置に規制して前記走行車輪３の上下方向の位置を調節する。
【００１７】
更に、もう一方の調節ねじ７にはケース本体１内において、下部に形成した係合片９１を前記内ケース４の頂部後端に突出させた突片４３に形成した係合溝４４に係合させた規制部材９が螺装されており、調節ねじ７を左右に回動させることにより規制部材９をケース本体２の幅方向に移動させることで、規制部材９に係合させた内ケース２を支持軸２６においてケース本体２の幅方向に移動させ、走行車輪３の幅方向、即ち、引戸１の厚さ方向の位置を調整する。
【００１８】
尚、前記調節ねじ６，７はケース本体２の側壁２４，２５のいずれかに操作面である基端面６１，７１が露出するように配置すればよく、調節ねじ６，７は同一の側壁２４または２５に基端面６１，７１が露出するように配置する。
【００１９】
以上の構成を有する本実施の形態は、図  に示すように、従来のこの種の戸車と同様に、引戸１の下端面１１と側面（木口）１２とが直交する角部に形成された取付空所１３に配置するとともに取付ねじ５を用いて固定する。
【００２０】
ただし、本実施の形態ではケース本体２の側壁２４に調節ねじ６，７の基端面６１，７１が配置されているので、引戸１の側壁１４の所定位置に予め、前記基端面６１，７１を露出するための透孔１５を形成しておく必要がある。
【００２１】
尚、本実施の形態では、透孔１４は調節ねじ６，７の兼用で横長楕円状のものを１つ形成したが、調節ねじ６，７にそれぞれ個別のものを形成してもよい（図示せず）。また、必要であれば前記透孔１５に目隠し用のキャップ１６を嵌挿してもよいが、例えば、調整部分が取り外し可能な戸袋などで隠れてしまう場合などには不要である。
【００２２】
そして、引戸１の建て付け時、或いはその後、使用中に走行車輪３の位置を調整するには、キャップ１５を外して露出させた調節ねじ６，７の基端面６１，７１にドライバなどの調整具を当てて調節ねじ６，７を回動させればよい。
【００２３】
このとき、従来の調整部が引戸の木口側に配置されていることで小口側に位置する作業者に調整部が対向してしまうのドライバなどの操作具を前後方向に向けた状態で操作することになり調整操作がしにくいばかりか調整する手が邪魔になって調整する戸の木口部分が確認しにくいのに対して、本実施の形態では、操作面が引戸の側面に配置されているので、作業者は引戸下部における木口の部分を直視氏ながら、即ち調整量を確認しながら側面から回した手で調節ねじを無理なく操作することができ、調節作業が容易でしかも調節量も正確である。
【００２４】
特に、本実施の形態は、図７に示すように、戸袋１７を配置した場合にも引戸１を閉じた状態で側壁１４側から引き込み側の戸車２も調節することができるという利点を有している。
【００２５】
図８は本発明の異なる実施の形態を示すものであり、全体の機構は前記図１乃至図６に示ししたものとほぼと同様であるが、規制部材９を逆Ｌ字形として調節ねじ６と調節ねじ７とを縦方向に配置した点が異なる。
【００２６】
本実施の形態によれば、前記実施の形態に比べてケース本体２の横幅を狭く形成することができることから図６に示した引戸１の下端面１１と側面（木口）１２とが直交する角部に形成された取付空所１３の奥行を短く形成することができることとから取付空所１３の形成が容易であるとともに取り付けねじ５も短くてよく、特に前記実施例と同じ長さのものを用いたときには締め付け長さを長く形成することができることから確実に引戸に固着させることができる。
【００２７】
図９は本発明の更に異なる実施の形態を示すものであり、全体の構成は前記図１乃至図６に示した実施の形態とほぼ同様であるが、図１乃至図６に示した実施の形態がケース本体２の頂部において前壁２２から後壁２３に貫通して形成した挿通孔２１にされているので引戸の木口面にケース本体の前壁２２が露出した状態とな流のに対して、本実施の形態では、取付空所１３を引戸１の側壁１４に開口するようにして引戸の側面側から複数の止めねじ５により固着するものであり、引戸１の木口面１２にはケース本体２が全く露出しないので引戸を開放した状態においてきわめて美麗である。
【００２８】
また、木口面１２に沿って取り付ける必要がないのでバランスよい位置に配置することもでき、特に、図１０に示すように戸袋１７を利用する場合にも何等支障なく引き込み側の戸車２を含めて調整ができる。
【００２９】
更に、本実施の形態では取付位置が引戸１の側面であることから木口面１２に配置した場合に比べてキャップなどの目隠し部材を取り付けやすい。
【図面の簡単な説明】
【００３０】
【図１】本発明の実施の形態をしめすもので(ａ）は正面図、（ｂ）は側面図、（ｃ）は背面図である。
【図２】図１に示した実施の形態の縦断面図。
【図３】図１のＡ−Ａ線に沿う断面図。
【図４】図１のＢ−Ｂ線に沿う断面図。
【図５】図１に示した実施の形態の異なる状態の縦断面図。
【図６】図１に示した実施の形態の使用状態を示す説明図。
【図７】図１に示した実施の形態の使用状態を示す説明図。
【図８】本発明の異なる実施の形態を示すものでで(ａ）は側面図、（ｂ）は縦断面図。
【図９】本発明の更に異なる実施の形態を示す側面図。
【図１０】図９に示した実施の形態の使用状態を示す説明図。
【図１１】従来例を示す説明図。
【図１２】従来例の使用状態を示す説明図。
【符号の説明】
【００３１】
２  ケース本体、  ３  走行車輪、  ４  内ケース、  ６  調節ねじ、  ７  調節ねじ、  ８  カム部材、  ９  規制部材、  ２４，２５  側壁、  ２６  支持軸、  ６１  基端面、  ７１  基端面
【図１】
2006125003.tif 000003
【図２】
2006125003.tif 000004
【図３】
2006125003.tif 000005
【図４】
2006125003.tif 000006
【図５】
2006125003.tif 000007
【図６】
2006125003.tif 000008
【図７】
2006125003.tif 000009
【図８】
2006125003.tif 000010
【図９】
2006125003.tif 000011
【図１０】
2006125003.tif 000012
【図１１】
2006125003.tif 000013
【図１２】
2006125003.tif 000014